(57)【要約】【課題】組み付け作業の向上を図れ、戸当りの強度が向上する制水扉を提供する。【解決手段】左右一対の縦枠部２を形成した戸当り３と、両側縁が縦枠部２の縦溝８にガイドされて昇降する扉体４と、を備えた制水扉１であって、扉体４の前面側に位置して縦溝８の一部を構成する押え部９は、戸当り３の高さ方向に関し、上部側が戸当り３と一体成型により形成され、下部側は縦枠部２に対して着脱自在に取り付けられる押え板１０から構成される。また、押え板１０を外すことにより、戸当り３に対して全閉位置の扉体４を前方に引き抜き可能に構成されている。【選択図】図１
2015190111.tif 000002
【特許請求の範囲】
【請求項１】
左右一対の縦枠部を形成した戸当りと、両側縁が前記縦枠部の縦溝にガイドされて昇降する扉体と、を備えた制水扉であって、
前記扉体の前面側に位置して前記縦溝の一部を構成する押え部は、前記戸当りの高さ方向に関し少なくとも一部が、前記戸当りと一体成型により形成されていることを特徴とする制水扉。
【請求項２】
前記押え部は、前記戸当りの高さ方向に関し、上部側が前記戸当りと一体成型により形成され、下部側は前記縦枠部に対して着脱自在に取り付けられる押え板から構成され、
前記押え板を外すことにより、前記戸当りに対して全閉位置の前記扉体を前方に引き抜き可能であることを特徴とする請求項１に記載の制水扉。
【請求項３】
前記縦枠部の上端周りに、前記扉体の上昇を規制するストッパボルトが着脱自在に取り付けられ、
前記ストッパボルトを通すためのボルト貫通孔が、前記戸当りの吊り下げ部材の係止孔を兼ねることを特徴とする請求項１または請求項２に記載の制水扉。
【請求項４】
請求項３に記載の制水扉を据付箇所に搬入する方法であって、
前記吊り下げ部材を前記ボルト貫通孔に係止させて制水扉を据付箇所まで吊り下げ搬入し、次いで、前記吊り下げ部材を前記ボルト貫通孔から外して前記ストッパボルトを取り付けることを特徴とする制水扉の搬入方法。
【発明の詳細な説明】
【技術分野】
【０００１】
本発明は、制水扉およびその搬入方法に関する。
【背景技術】
【０００２】
上下水道の水路や灌漑用水路等に設置される制水扉の従来例としては、特許文献１，２に記載のものが挙げられる。特許文献１には、左右一対の縦枠部を備える戸当りと、戸当りに対して昇降自在な扉体と、を備えた制水扉が記載されている。戸当りの各縦枠部には押え板（特許文献２においては案内板）がボルトにより取り付けられている。この押え板と縦枠部とによって平面視コ字形状の縦溝が形成されることとなり、制水扉はその両縁が当該縦溝にガイドされつつ戸当りに対して昇降するようになっている。
【先行技術文献】
【特許文献】
【０００３】
【特許文献１】特開２００２−４７６３５号公報
【特許文献１】特開２００２−２５００２３号公報
【発明の概要】
【発明が解決しようとする課題】
【０００４】
上記したように従来の制水扉は戸当りと押え板とが別部材であり、戸当りに対する押え板の取り付け作業に手間がかかりやすいという問題がある。特に、扉体をガイドするための縦溝は、戸当りのほぼ全高さ範囲にわたって必要であることから、押え板の全長は戸当りの高さ寸法とほぼ同じ程度の長さとなる。このような長尺の板部材は取り回しが悪いため、戸当りに対して押え板を精度良く取り付けるに当たり、調整に手間のかかる作業となる。
【０００５】
本発明は、このような問題を解決するために創作されたものであり、組み付け作業の向上を図れる制水扉およびその搬入方法を提供することを目的としている。
【課題を解決するための手段】
【０００６】
前記課題を解決するため、本発明は、左右一対の縦枠部を形成した戸当りと、両側縁が前記縦枠部の縦溝にガイドされて昇降する扉体と、を備えた制水扉であって、前記扉体の前面側に位置して前記縦溝の一部を構成する押え部は、前記戸当りの高さ方向に関し少なくとも一部が、前記戸当りと一体成型により形成されていることを特徴とする。
【０００７】
この制水扉によれば、押え部の少なくとも一部を戸当りと一体成型により形成したため、押え部の残りを押え板に充てたとしても、押え板の長さは短くて済む。したがって、押え板の取り回しも簡単となり、戸当りに対する押え板の取り付け作業性が良好となる。
【０００８】
また本発明は、前記押え部は、前記戸当りの高さ方向に関し、上部側が前記戸当りと一体成型により形成され、下部側は前記縦枠部に対して着脱自在に取り付けられる押え板から構成され、前記押え板を外すことにより、前記戸当りに対して全閉位置の前記扉体を前方に引き抜き可能であることを特徴とする。
【０００９】
この制水扉によれば、制水扉のメンテナンス作業や交換作業等が良好となる。
【００１０】
また本発明は、前記縦枠部の上端周りに、前記扉体の上昇を規制するストッパボルトが着脱自在に取り付けられ、前記ストッパボルトを通すためのボルト貫通孔が、前記戸当りの吊り下げ部材の係止孔を兼ねることを特徴とする。
【００１１】
この制水扉によれば、扉体の上昇規制のストッパ構造を簡単な構造にできる。また、ボルト貫通孔が吊り下げ部材の係止孔を兼ねることで制水扉の搬送も簡単に行える。
【００１２】
また本発明は、前記吊り下げ部材を前記ボルト貫通孔に係止させて制水扉を据付箇所まで吊り下げ搬入し、次いで、前記吊り下げ部材を前記ボルト貫通孔から外して前記ストッパボルトを取り付けることを特徴とする。
【００１３】
この制水扉の搬入方法によれば、制水扉の搬入を簡単に行える。
【発明の効果】
【００１４】
本発明によれば、押え部の少なくとも一部を戸当りと一体成型したことにより、制水扉の製造工程を簡略化できる。また、戸当りの強度も向上する。
【図面の簡単な説明】
【００１５】
【図１】本発明に係る制水扉の外観斜視図である。
【図２】本発明に係る制水扉の正面図である。
【図３】図２におけるＡ−Ａ断面図である。
【図４】図２におけるＢ−Ｂ断面図である。
【図５】図２におけるＣ−Ｃ断面図である。
【図６】図２におけるＤ−Ｄ断面図である。
【図７】扉体を横方向に外す態様を示す制水扉の外観斜視図である。
【図８】扉体を上方向に外す態様を示す制水扉の外観斜視図である。
【発明を実施するための形態】
【００１６】
図１ないし図６において、本発明に係る制水扉１は、左右一対の縦枠部２を有する戸当り３と、両側縁が縦枠部２の後記する縦溝８にガイドされて昇降する扉体４とを備えている。扉体４には昇降シャフト２０が着脱自在に取り付けられ、この昇降シャフト２０を介して、上方に設置された図示しない開閉機の駆動により扉体４が昇降する。戸当り３の各縦枠部２は、高さ方向中程および下部において横枠部５，６（図３）により連結されている。この横枠部５，６と左右の縦枠部２とにより囲まれた四角状の開口部が水を流すための呑口７となり、扉体４の昇降位置により呑口７を流れる水量が制御される。戸当り３および扉体４はたとえば鋳鉄製である。
【００１７】
図４，図５に示すように、縦枠部２は、制水扉１の幅方向に延設する第１壁部２Ａと、第１壁部２Ａの外縁から制水扉１の前方向に突設される第２壁部２Ｂとからなる平断面略Ｌ字形状部を有している。第１壁部２Ａは扉体４の後面と対向するように位置し、第２壁部２Ｂは扉体４の側面と対向するように位置している。扉体４の前面側には、縦溝８の一部を構成する押え部９が対向するように位置している。以上から判るように、第１壁部２Ａと第２壁部２Ｂと押え部９との３面に囲まれることにより、平断面矩形状の縦溝８が形成される。
【００１８】
従来では、押え部９は、戸当り３とは別部材であって縦溝８の略全高さにわたる長尺平板状の押え板によって構成され、ボルトにより縦枠部２に取り付けられていた。これに対し、本発明の制水扉１の押え部９は、戸当り３の高さ方向に関し少なくとも一部が、戸当り３と一体成型により形成されている。押え部９が戸当り３と一体に形成されることにより、縦枠部２は図６に示されるように平断面コ字形状を呈することとなり、その分、縦枠部２の強度が向上する。
【００１９】
本実施形態では、押え部９は、戸当り３の高さ方向に関し、上部側が戸当り３と一体成型により形成され（図２において網線で示す部分）、下部側は縦枠部２に対して着脱自在に取り付けられる押え板１０から構成されている。つまり、縦溝８は、戸当り３の上部においては、図６に示すように、縦枠部２と、この縦枠部２の第２壁部２Ｂの前端から制水扉１の幅方向中央側に一体成型により延設される押え部９と、に囲まれることにより平断面コ字形状の溝として形成される。そして、縦溝８は、戸当り３の下部においては、図４に示すように、縦枠部２と、この縦枠部２に形成された押え板取付け座１１Ａ，１１Ｂにボルト１９で着脱自在に取り付けられる押え板１０と、に囲まれることにより平断面コ字形状の溝として形成される。そして、押え板１０を外すことにより、全閉位置の、つまり最下降位置にある扉体４を戸当り３から前方に引き抜けるようになっている。
【００２０】
図３において、戸当り３における呑口７周りには、四角枠状に戸当り止水板１２が固設され、この戸当り止水板１２に対応するように扉体４の後面には四角枠状に扉体止水板１３が固設されている。戸当り止水板１２はステンレス鋼材などからなり、扉体止水板１３はステンレス鋼材よりも軟質のりん青銅材などからなる。
【００２１】
戸当り３の各縦枠部２の第２壁部２Ｂには、図４、図７に示すように、傾斜面を有する楔型固着具１４が上下一対に取り付けられる。具体的には、上方の楔型固着具１４は押え板１０を介して縦枠部２にボルトにより取り付けられ、下方の楔型固着具１４は直接、縦枠部２にボルトにより取り付けられる。なお、楔型固着具１４の傾斜面には図４に示すようにステンレス板１４Ａが固設されている。一方、扉体４においては、その両側縁の前面における前記楔型固着具１４のステンレス板１４Ａに対応する位置に楔型部材１５が取り付けられている。楔型固着具１４のステンレス板１４Ａと楔型部材１５とは、扉体４が下降したときに相互の傾斜面が摺接し、扉体４を後ろ側に押し遣る。そして、扉体４が最下降して呑口７を完全に閉止したとき、戸当り止水板１２と扉体止水板１３とが密着して水密性が保持される。
【００２２】
縦枠部２は前記したように平断面略Ｌ字形状部を有しており、縦枠部２の上端においてそのままＬ字形状をもって開放させる構造とした場合、縦枠部２の強度の確保が難しいという問題がある。そのため、従来では、縦枠部の上端に、Ｌ字の２つの辺に跨る矩形状の天板を溶接により取り付けることで縦枠部の強度を確保していた。なお、この天板は扉体４の上昇を規制するストッパの役目も担うものである。しかしながら、天板を縦枠部の上端に溶接で取り付ける従来の方法では、戸当りの製造コストが嵩みやすいという問題がある。
【００２３】
これに対し、本発明の制水扉１は、前記したように押え部９の少なくとも一部が戸当り３と一体成型により形成されて縦枠部２の強度が向上することとなるので、天板を縦枠部２に溶接する必要が無い。そのため、扉体４の上昇規制については、簡単なストッパ構造で済ますことができる。本実施形態においては、縦枠部２の第２壁部２Ｂの上端近傍にボルト貫通孔１６（図８）が穿設されており、このボルト貫通孔１６にストッパボルト１７が挿通されてナット１８の締結により着脱自在に取り付けられる。ストッパボルト１７のストッパ部は第２壁部２Ｂの内側面において突出し、扉体４の上端に当接することにより扉体４の上昇を規制する。ボルト貫通孔１６は、たとえば制水扉１を施工現場の据付箇所に吊り下げ搬入する際に、戸当り３を吊り下げる吊り下げ部材（図示せず）の係止孔を兼ねる。吊り下げ部材としては、たとえばロープやチェーンなどであり、その下端部のフック等を両側のボルト貫通孔１６に係止させることで制水扉１を吊り下げ搬入する。なお、その際、扉体４は閉じた状態として戸当り３に取り付けられている。そして、搬入後にフックを外しストッパボルト１７を取り付ける。
【００２４】
本発明の制水扉１によれば、押え部９の少なくとも一部を戸当り３と一体成型により形成したため、押え部９の残りを押え板１０に充てたとしても、押え板１０の長さは短くて済む。したがって、押え板１０の取り回しも簡単となり、戸当り３に対する押え板１０の取り付け作業性が良好となる。
【００２５】
また本実施形態によれば、たとえば制水扉１のメンテナンス・修理・交換時等において、昇降シャフト２０を扉体４から外し、楔型固着具１４および押え板１０を戸当り３から外すことで、図７に示すように、最下降位置にある扉体４を戸当り３から前方に引き抜くことができる。また、ストッパボルト１７を戸当り３から外すことで、図８に示すように、扉体４を戸当り３から上方に引き抜くことができる。ストッパボルト１７としては汎用のボルトを使用できるため、従来のように天板を溶接する必要もなく、扉体４のストッパ構造を簡単な構造にできる。
【００２６】
以上、本発明の好適な実施形態を説明したが、本発明は図面に記載したものに限定されることなく、その趣旨を逸脱しない範囲で様々な設計変更が可能である。
【符号の説明】
【００２７】
１      制水扉
２      縦枠部
３      戸当り
４      扉体
８      縦溝
９      押え部
１０      押え板
１７      ストッパボルト
【図１】
2015190111.tif 000003
【図２】
2015190111.tif 000004
【図３】
2015190111.tif 000005
【図４】
2015190111.tif 000006
【図５】
2015190111.tif 000007
【図６】
2015190111.tif 000008
【図７】
2015190111.tif 000009
【図８】
2015190111.tif 000010